(57)【要約】【課題】  取付け下地材が柱の表面から突出することなく、納まりよく取付けでき、取付け下地材の位置決めも容易に行うことができ、さらに真壁造りの壁面においても手摺を強固に取付けることができる手摺取付け構造を提供する。【解決手段】  柱取付け片部（２１）と壁取付け片部（２２）からなる断面略Ｌ型金具（２）の少なくとも１組を、相互に対向させるように真壁造り（１）の一方の柱（３）と他方の柱（３）それぞれに配設することで、真壁造り（１）の柱（３）間に手摺（４）を取付ける構造であって、柱（３）の側面に柱取付け片部（２１）を当接するとともに、壁（５）の表面に壁取付け片部（２２）を当接し、断面略Ｌ型金具（２）の内角から柱（３）に向かって斜め方向に留め具（６）を打設して、断面略Ｌ型金具（２）を柱（３）に配設し、断面略Ｌ型金具（２）の壁取付け片部（２２）間に取付け下地材（７）を架設し、この取付け下地材（７）に手摺（４）を取付ける。【選択図】図１
2005336788.tif 000002
【特許請求の範囲】
【請求項１】
柱取付け片部と壁取付け片部とからなる断面略Ｌ型金具の少なくとも１組を、相互に対向させるように真壁造りにおける一方の柱と他方の柱それぞれに配設することで、真壁造りにおける柱間に手摺を取付ける構造であって、柱の側面に前記柱取付け片部を当接するとともに、該柱と連設されている壁の表面に前記壁取付け片部を当接し、前記柱取付け片部と前記壁取付け片部との連設箇所である角部の内角側から柱に向かって斜め方向に留め具を打設して、断面略Ｌ型金具を柱に配設し、そして、柱それぞれに配設された断面略Ｌ型金具の壁取付け片部間に、手摺を取付ける取付け下地材を架設して取付け下地材上に手摺を取付けることを特徴とする手摺取付け構造。
【請求項２】
断面略Ｌ型金具の柱取付け片部には、柱取付け片部が当接する柱の表面側まで回りこみ、柱表面と当接する沈み込み防止片部が延設されている請求項１記載の手摺取付け構造。
【請求項３】
断面略Ｌ型金具の下部には、取付け下地材を支持する支持片部が手前方向に延設されている請求項１または２記載の手摺取付け構造。
【発明の詳細な説明】
【技術分野】
【０００１】
この出願の発明は、手摺取付け構造に関するものである。さらに詳しくは、この出願の発明は、取付け下地材が柱の表面から突出することなく、納まりよく取付けでき、取付け下地材の位置決めも容易に行うことができ、さらに真壁造りの壁面においても手摺を強固に取付けることができる、新しい手摺取付け構造に関するものである。
【背景技術】
【０００２】
壁構造の一つである真壁造りは、柱の表裏が露出するため、一般の壁構造と異なり、手摺を配設する箇所に壁の裏側から手摺取付け用の取付け支持材を設けることができない。そのため、図６および図７に例示したように、真壁造り（ア）の壁（イ）の表面（壁面）に手摺（ウ）を取付ける場合には、手摺（ウ）を取付ける側の柱（エ）と柱（エ）との間に、手摺（ウ）を取付ける取付け下地材（オ）をビスや釘等の留め具（カ）で固着して架設して、この取付け下地材（オ）上に手摺（ウ）を留め具（キ）で取付け固定している。
【０００３】
また、外周面に雄ネジが設けられた固定金具を壁面に固定し、固定金具に、この雄ネジと嵌合する雌ネジが設けられた突没調整用部材を有する手摺を螺合することで、壁面に手摺を取付けることが提案されている（特許文献１）。
【特許文献１】特開平７−２２９２６１号公報
【発明の開示】
【発明が解決しようとする課題】
【０００４】
しかしながら、図６および図７の手摺取付け構造は、手摺（ウ）が取付けられる取付け下地材（オ）が柱（エ）の表面から突出するため、見栄えが悪くなり、かつ、突出分だけ居室や廊下等が狭くなり、納まりが悪いという問題があった。さらに、取付け下地材（オ）の位置決めも困難であり、また、手摺（ウ）の取付け強度の点でも満足すべきものとはいい難いという問題があった。
【０００５】
また、上記特許文献１においては、手摺を、固定金具を介して壁面に取付けているため、手摺を壁面に直接取付けることができない真壁造りにおいては適用できないという問題があった。
【０００６】
そこで、以上のとおりの背景から、この出願の発明は、従来の問題点を解消して、取付け下地材が柱の表面から突出することなく納まりよく取付けでき、取付け下地材の位置決めも容易に行うことができ、さらに真壁造りの壁面においても手摺を強固に取付けることができる、新しい手摺取付け構造を提供することを課題としている。
【課題を解決するための手段】
【０００７】
この出願の発明は、上記の課題を解決するものとして、第１には、柱取付け片部と壁取付け片部とからなる断面略Ｌ型金具の少なくとも１組を、相互に対向させるように真壁造りにおける一方の柱と他方の柱それぞれに配設することで、真壁造りにおける柱間に手摺を取付ける構造であって、柱の側面に前記柱取付け片部を当接するとともに、該柱と連設されている壁の表面に前記壁取付け片部を当接し、前記柱取付け片部と前記壁取付け片部との連設箇所である角部の内角側から柱に向かって斜め方向に留め具を打設して、断面略Ｌ型金具を柱に配設し、そして、柱それぞれに配設された断面略Ｌ型金具の壁取付け片部間に、手摺を取付ける取付け下地材を架設して取付け下地材上に手摺を取付けることを特徴とする手摺取付け構造を提供する。
【０００８】
また、この出願の発明は、第２には、断面略Ｌ型金具の柱取付け片部には、柱取付け片部が当接する柱の表面側まで回りこみ、柱表面と当接する沈み込み防止片部が延設されている手摺取付け構造を、そして、第３には、断面略Ｌ型金具の下部には、取付け下地材を支持する支持片部が手前方向に延設されている手摺取付け構造を提供する。
【発明の効果】
【０００９】
上記のとおりのこの出願の第１の発明によれば、取付け下地材が柱の表面から突出することなく納まりよく取付けでき、取付け下地材の位置決めも断面略Ｌ型金具を介して容易に行うことができ、さらに真壁造りの壁面においても手摺を断面略Ｌ型金具を介して強固に取付けることができる。
【００１０】
また、第２の発明によれば、上記第１の発明の効果に加え、断面略Ｌ型金具の奥行き方向（壁方向）への沈み込み（移動）を防止（規制）することができ、手摺の使用時における壁への傷の発生を抑制することができる。
【００１１】
さらに、第３の発明によれば、上記第１および第２の発明の効果に加え、取付け下地材の下方脱落を防止するとともに、取付け下地材の取付け固定時の位置決めもさらに容易になり、水平を正確に出すことができ、上方からの荷重にも耐え得るようになり、取付け下地材を安定して支持することができる。
【発明を実施するための最良の形態】
【００１２】
この出願の発明は、上記のとおりの特徴をもつものであるが、以下に、添付した図面に沿って、この出願の発明の実施形態について詳細かつ具体的に説明する。
【００１３】
図１は、この出願の発明の手摺取付け構造の一実施形態を例示した横断面図である。図２は、図１における断面略Ｌ型金具を例示した拡大斜視図である。
【００１４】
図１および図２に例示したとおり、この出願の発明の手摺取付け構造は、略直角に連設してなる短片状の柱取付け片部（２１）と長片状の壁取付け片部（２２）とからなる断面略Ｌ型金具（２）を用いて、真壁造り（１）に設けられた複数の柱（３）間に安定して手摺（４）を取付けることができることを特徴としている。具体的には、この断面略Ｌ型金具（２）の少なくとも１組を、相互に対向させるように真壁造り（１）における一方の柱（３）と他方の柱（３）それぞれに配設している。
【００１５】
そして、柱（３）の側面に前記柱取付け片部（２１）を当接するとともに、該柱（３）と連設されている土壁等の壁（５）の表面に前記壁取付け片部（２２）を当接し、前記柱取付け片部（２１）と前記壁取付け片部（２２）との連設箇所である角部の内角側に設けられたビス穴、釘穴等の留め具穴（２３）を通じて、柱（３）に向かって斜め方向にビスや釘等の留め具（６）をねじ込んだり、打ち込んだりして打設して、断面略Ｌ型金具（２）を柱（３）に配設している。このように柱（３）それぞれに配設された断面略Ｌ型金具（２）の壁取付け片部（２２）間に、手摺（４）を取付ける取付け下地材（７）を、断面略Ｌ型金具（２）に設けられている留め具穴（２４）を通じて留め具（８）を打設して架設して、この取付け下地材（７）上に手摺（４）を留め具（９）で取付けている。
【００１６】
このような取付け構造とすることで、取付け下地材（７）を柱（３）の表面から突出することなく、略面一にして納まりよく取付けでき、取付け下地材（７）の位置決めも断面略Ｌ型金具（２）を介して容易に行うことができる。そして、また、取付け下地材（７）は、真壁造り（１）の壁面においても、柱（３）に向かって斜め方向に留め具（６）を打設することによって強固に取付けられた断面略Ｌ型金具（２）を介して、強固に取付けられるため、このような取付け下地材（７）に取付けられる手摺（４）も強固に取付けることができる。
【００１７】
さらに、上記のとおり、断面略Ｌ型金具（２）の内角部に設けられた留め具穴（２３）を通じて、柱（３）に向かって斜め方向に留め具（６）を打設することで、留め具（６）の打設等の際に生じる柱（３）のひび割れ等も抑制することができ、また手摺（４）や取付け下地材（７）等を取外した場合でも、柱（３）表面に傷が残らない。
【００１８】
図３は、この出願の発明の手摺取付け構造の別の実施形態を例示した横断面図である。図４は、図３における断面略Ｌ型金具を例示した拡大斜視図である。また、図５は、支持片がさらに設けられた断面略Ｌ型金具を例示した拡大斜視図である。
【００１９】
この図３および図４の例は、基本的な点は図１および図２の例と同様であるが、この出願の発明の手摺取付け構造における断面略Ｌ型金具（２）の柱取付け片部（２１）に、沈み込み防止片部（２５）が延設されている点で異なっている。
【００２０】
図３および図４に例示したとおり、この断面略Ｌ型金具（２）に設けられている沈み込み防止片部（２５）は、柱取付け片部（２１）が当接する柱（３）の表面側まで回りこみ、柱（３）表面と当接するように柱取付け片部（２１）の先端部から突出して延設されている。そして、このような沈み込み防止片部（２５）を有する断面略Ｌ型金具（２）を用いて、取付け下地材（７）、さらにこの取付け下地材（７）に手摺（４）を取付けることで、上記のとおりの効果に加えて、断面略Ｌ型金具（２）の奥行き方向（壁（５）方向）への沈み込み（移動）を沈み込み防止片部（２５）によって防止（規制）することができ、手摺（４）の使用時における壁（５）への傷の発生を抑制することができる。
【００２１】
また、図５に例示したとおり、この断面略Ｌ型金具（２）の下部、より具体的には、壁取付け片部（２２）の下端から、取付け下地材（７）を載置して支持するための支持片部（２６）が手前方向に突出して延設されていてもよい。このように、支持片部（２６）をも有する断面略Ｌ型金具（２）によって、この出願の発明の手摺取付け構造の効果として、さらに、取付け下地材（７）の下方脱落を支持片部（２６）によって防止するとともに、取付け下地材（７）の取付け固定時の位置決めが容易になり、安定して支持することもできる。
【００２２】
もちろん、この出願の発明の手摺取付け構造は、以上の例示によって限定されるものではなく、その細部については様々な態様が可能であることは言うまでもない。
【図面の簡単な説明】
【００２３】
【図１】この出願の発明の手摺取付け構造の一実施形態を例示した横断面図である。
【図２】図１における断面略Ｌ型金具を例示した斜視図である。
【図３】この出願の発明の手摺取付け構造の別の実施形態を例示した横断面図である。
【図４】図３における断面略Ｌ型金具を例示した拡大斜視図である。
【図５】支持片がさらに設けられた断面略Ｌ型金具を例示した拡大斜視図である。
【図６】従来の手摺取付け構造を模式的に例示した横断面図である。
【図７】図６の従来例の正面図である。
【符号の説明】
【００２４】
１  真壁造り
２  断面略Ｌ型金具
２１  柱取付け片部
２２  壁取付け片部
２３  留め具穴
２４  留め具穴
２５  沈み込み防止片部
２６  支持片部
３  柱
４  手摺
５  壁
６  留め具
７  取付け下地材
８  留め具
９  留め具
ア  真壁造り
イ  壁
ウ  手摺
エ  柱
オ  取付け下地材
カ  留め具
キ  留め具
【図１】
2005336788.tif 000003
【図２】
2005336788.tif 000004
【図３】
2005336788.tif 000005
【図４】
2005336788.tif 000006
【図５】
2005336788.tif 000007
【図６】
2005336788.tif 000008
【図７】
2005336788.tif 000009